(57)【要約】  エクササイズ中、毎日の活動中、又はリハビリテーション療法中に使用でき、身体の動きに対して抵抗を生じさせる衣服。この衣服は、関連の体肢の動きに対して抵抗をもたらすバンドを有する。この衣服は、活動中、衣服をユーザに固定する構造を有する。
2017519910.tif 000002
【特許請求の範囲】
【請求項１】
抵抗をもたらす衣服であって、
基礎材料と、
固定システムによって前記基礎材料に取り付けられた抵抗セグメントとを有し、前記抵抗セグメントは、第１の抵抗バンド及び第２の抵抗バンドを含み、
前記第１の抵抗バンドと前記第２の抵抗バンドは、相対して配置されている、衣服。
【請求項２】
前記固定システムは、前記抵抗セグメントを前記基礎材料に固定する二軸性保持機構体である、請求項１記載の衣服。
【請求項３】
第３の抵抗バンドを更に有する、請求項１記載の衣服。
【請求項４】
前記第１の抵抗バンドは、第１の軸線に沿う伸展抵抗性に対応し、前記第２の抵抗バンドは、前記第１の軸線に沿う屈曲抵抗性に対応し、前記第３の抵抗バンドは、前記第１の軸線回りの回旋抵抗性に対応している、請求項３記載の衣服。
【請求項５】
前記第１の抵抗バンド及び前記第２の抵抗バンドは、複数の抵抗繊維から成る、請求項１記載の衣服。
【請求項６】
前記第１の抵抗バンド及び前記第２の抵抗バンドは各々、抵抗セグメントから成る、請求項１記載の衣服。
【請求項７】
前記第１の抵抗バンド及び前記第２の抵抗バンドは、前記基礎材料に取り外し可能に取り付けられている、請求項１記載の衣服。
【請求項８】
前記第１の抵抗バンド及び前記第２の抵抗バンドは、前記基礎材料の弾性率よりも実質的に高い弾性率を有する、請求項１記載の衣服。
【請求項９】
前記基礎材料は、前記第１の抵抗バンドを受け入れるよう構成された第１のチャネル及び前記第２の抵抗バンドを受け入れるよう構成された第２のチャネルを更に有する、請求項１記載の衣服。
【請求項１０】
着用可能な衣服を含む着用可能なエクササイズシステムであって、前記システムは、
前記着用可能な衣服に取り付けられた固定システムと、
前記固定システムに係合した前記衣服上に位置決めされた第１の抵抗セグメントと、
前記第１の抵抗セグメントと向かい合って配置され且つ前記固定システムに係合した前記衣服上に位置決めされている第２の抵抗セグメントとを含み、
前記固定システムは、前記衣服と一体であり且つ前記第１の抵抗セグメントか前記第２の抵抗セグメントかのいずれかによって及ぼされる力に抗して前記衣服を固定するよう位置決めされた第１の二軸性保持機構体及び第２の二軸性保持機構体を含む、着用可能なエクササイズシステム。
【請求項１１】
前記第１の二軸性保持機構体は、近位側に位置決めされ、前記第２の二軸性保持機構体は、遠位側に位置決めされている、請求項１０記載の着用可能なエクササイズシステム。
【請求項１２】
第３の抵抗バンドを更に含む、請求項１０記載の着用可能なエクササイズシステム。
【請求項１３】
前記第１の抵抗セグメント及び前記第２の抵抗セグメントは、複数の抵抗繊維から成る、請求項１０記載の着用可能なエクササイズシステム。
【請求項１４】
前記第１の抵抗セグメント及び前記第２の抵抗セグメントは、前記衣服に取り外し可能に取り付けられている、請求項１０記載の着用可能なエクササイズシステム。
【請求項１５】
前記第１の抵抗セグメントは、第１の抵抗パネルから成り、前記第２の抵抗セグメントは、第２の抵抗パネルから成る、請求項１０記載の着用可能なエクササイズシステム。
【請求項１６】
前記第１の抵抗パネル及び前記第２のパネルは各々、複数の細孔を有し、前記抵抗セグメントは、少なくとも、第１の抵抗軸線及び第２の抵抗軸線を有する、請求項１５記載の着用可能なエクササイズシステム。
【請求項１７】
前記衣服は、少なくとも２つの繊維層を有し、前記抵抗セグメントは、前記少なくとも２つの繊維層相互間に配置されると共に前記少なくとも２つの繊維層の各々に取り付けられている、請求項１０記載の着用可能なエクササイズシステム。
【請求項１８】
前記固定システムは、クイックリリースを更に含む、請求項１０記載の着用可能なエクササイズシステム。
【請求項１９】
筋抵抗をもたらす方法であって、
複数の抵抗セグメントを有する着用可能な衣服を着用するステップを含み、
相対した対をなす抵抗セグメントを位置決めするステップを含み、前記抵抗セグメントの各々は、前記衣服の固定システムに固定され、
ユーザの動きに抵抗するステップを含む、方法。
【発明の詳細な説明】
【技術分野】
【０００１】
本発明は、一般に、エクササイズ用衣服に関する。
【０００２】
〔関連出願の説明〕
本願は、２０１４年４月２４日出願された米国特許仮出願第６１／９８３，７４６号の権益主張出願であり、この米国特許仮出願を参照により引用し、その記載内容全体を本明細書の一部とする。
【背景技術】
【０００３】
身体的非活動、即ち、運動不足が特に米国において数百万の人々に悪影響を及ぼす蔓延した問題となっている。２０１２ＣＤＣ報告によれば、米国保健福祉省によって定められた身体的活動ガイドラインに対して５人の米国成人のうち１人しか適合していない。１２年間にわたり３３４，０００人の人々を追跡したケンブリッジ大学での調査員の研究結果により判明したところによれば、運動不足は肥満症として死亡率の恐れを２倍にする。
【０００４】
ケンブリッジ研究結果により判明したところによれば、肯定的な側面について言えば、比較的僅かであってもライフスタイルを変更すると、例えば、きびきびした足取りで又は速いペースで毎日２０分ウォーキングすると、人が「活動不足状態」から「活動適度状態」に変わり、そして人の死亡の恐れが１６〜３０％減少した。これにもかかわらず、大抵の人々は、この程度の活動レベルであってもこれを自分のライフスタイルに取り入れにくくする種々の制約に直面している。例えば、諸々の仕事のうちで身体的労作を伴うのは２０％に満たない。人々は、仕事場で毎日平均４時間座った状態で過ごしている。さらに、人々は、今や、身体的活動に参与することが少なく、そして自宅では、そしてレジャータイムの間でも、座って過ごすことが多い。加うるに、運動してしないという最もありふれた言い訳のうちで一般的には時間不足であることやモチベーション不足であることが挙げられる。
【０００５】
フィットネス業界は、伝統的に、運動（スポーツトレーニング）効率を上げると共に結果を最大にするためにジム及び機械を利用したエクササイズ療法を強調している。しかしながら、ジムに出かけて行き、そして汗を流すための時間を確保しなければならないという義務感は、ジムの会員の３／４が年に１回の１月に急増した後に利用しなくなるという事実によって証拠付けられるように、多くの人々にとって負担であり、しかもやる気をなくさせる場合がある。フィットネス部門における最近の新機軸の導入は、個別の追跡及び着用可能な技術で補完されるホームフィットネスに向かっている。
【発明の概要】
【発明が解決しようとする課題】
【０００６】
しかしながら、これらは、そもそも十分に活動的なライフスタイルを採用する時間又はモチベーションを全く持たない多数の人々にとっての主要関心事に依然として取り組んではいない。人が減量すると共に体力をつけるのを助け、しかも人々の日常生活に途切れなく組み込むことができる好都合で効率的な方法が明確に要望されている。
【課題を解決するための手段】
【０００７】
本発明の一具体化例は、抵抗をもたらす器具に関する。抵抗セグメントが基礎材料に取り付けられる。抵抗セグメントは、第１の抵抗バンド及び第２の抵抗バンドを含む。第１の抵抗バンドと第２の抵抗バンドは、相対して配置される。
【０００８】
別の具体化例は、エクササイズシステムに関する。基礎材料が設けられる。伸展抵抗性バンドが基礎材料に係合する。屈曲抵抗性バンドが基礎材料に係合する。第１の二軸性保持機構体及び第２の二軸性保持機構体が基礎材料に一体化されると共に伸展抵抗性バンドか屈曲抵抗性バンドかのいずれかによって及ぼされる力に抗して衣服を固定するよう位置決めされる。
【０００９】
以下の詳細な説明、図面及び特許請求の範囲を検討に基づいて本発明の追加の特徴、利点、具体化例、及び実施形態について説明することができる。さらに、理解されるべきこととして、本発明の上記発明の概要と以下の詳細な説明の両方は、例示であり、クレーム請求された本発明の範囲をそれ以上限定することなく、それ以上の説明を提供するようになっている。
【００１０】
本発明の上記の目的、観点、特徴及び利点並びに他の目的、観点、特徴、及び利点は、添付の図面と関連して以下の説明を参照することによって、明らかになると共に良好に理解される。
【図面の簡単な説明】
【００１１】
【図１】図１Ａは、大腿用のエクササイズ用衣服を示す腹側図であり、バンドが特定の筋群に反作用するよう配置されると共に二軸性構造体を含む固定システムに定位置に固定され、２つの組をなすバンドが各体肢の屈曲と伸展の両方に対する抵抗をもたらす状態を示す図であり、図１Ｂは、大腿用のエクササイズ用衣服を示す背側図であり、バンドが特定の筋群に反作用するよう配置されると共に二軸性構造体を含む固定システムに定位置に固定され、２つの組をなすバンドが各体肢の屈曲と伸展の両方に対する抵抗をもたらす状態を示す図である。
【図２】図２Ａは、２つの組をなすバンドが臀部の屈曲に対してどのように抵抗を生じさせるかを示す図であり、図２Ｂは、２つの組をなすバンドが臀部の伸展に対してどのように抵抗を生じさせるかを示す図である。
【図３】図３Ａ及び図３Ｂは、２つの組をなすバンドが臀部の外転及び内転に対してどのように抵抗を生じさせるかを示す図である。
【図４】図４Ａは、バンドが引っ張り状態になったときに二軸性バンド位置によりバンドが体の周りでどのようにして締まるか、そしてそれにより圧迫作用をもたらしてバンドを定位置に保つよう機能するかを示すと共に弛緩位置を示す図であり、図４Ｂは、バンドが引っ張り状態になったときに二軸性バンド位置によりバンドが体の周りでどのようにして締まるか、そしてそれにより圧迫作用をもたらしてバンドを定位置に保つよう機能するかを示すと共に圧迫位置を示す図である。
【図５】図５Ａは、体の表面に沿う力の分布状態を変化させるために２組のバンドに代えてサイズが互いに異なるバンドを用いることができる具体化例を示す図であり、図５Ｂは、体の表面に沿う力の分布状態を変化させるために２組のバンドに代えてバンド及びパネルを用いることができる具体化例を示す図であり、図５Ｃは、体の表面に沿う力の分布状態を変化させるために２組のバンドに代えてパネルを用いることができる具体化例を示す図である。
【図６】２組のバンドが体に動いているときに互いに前方を横切って滑る単一の衣服内に自由浮動層の状態で配置された弾性メッシュパネルを用いた具体化例を示す図である。
【図７】図７Ａ〜図７Ｃは、非常事態ではバンドを即座に弛めるよう作動可能な固定システム並びに螺旋ウィーブ及びフェールセーフ機構体、例えばクリップを備えた具体化例を示す図である。
【図８】図８Ａは、上半身用のスリーブの長い衣服のためのバンドを用いた抵抗セグメントの具体化例を示す腹側図であり、図８Ｂは、上半身用のスリーブの長い衣服のためのバンドを用いた抵抗セグメントの具体化例を示す背側図である。
【発明を実施するための形態】
【００１２】
以下の詳細な説明において、本明細書の一部をなす添付の図面を参照する。図中、同じ記号は、別段の文脈の定めがなければ、代表的には同じコンポーネントを示す。詳細な説明、図面、及び特許請求の範囲に記載された例示の具体化例は、本発明を限定することを意図していない。特許請求の範囲の記載に基づいて定められる本明細書の精神又は範囲から逸脱することなく他の具体化例を利用することができ、又他の変更を行うことができる。容易に理解されるように、本明細書において一般的に説明されると共に図面に示された本発明の観点を多種多様な形態に配置し、置換し、組み合わせ、しかも設計することができ、これらの形態の全てが明示的に想定されると共に本発明の一部をなしている。
【００１３】
体を引き締める現行の衣類は、一般に筋肉（以下、「筋」という）が緊張した感じになるようにするために圧迫作用を用いた衣服を含む。しかしながら、かかる衣服は、実際には、体肢の動きを制限することはなく、これら衣服は、筋を緊張させると共にカロリーを燃焼させる観点における有効性が最小限であることが示された。他の技術は、人が汗をかくようにするために体熱を保つことによってカロリーを燃焼させることを主張しているが、これ又実証された有効性が比較的低い。
【００１４】
体の動きに抵抗する上出来の衣服が存在していない。と言うのは、抵抗バンドを上下に滑らせることなく抵抗バンドを体に固定する有効なやり方に気づく人がいなかったからである。最も近い技術は、バンドを体肢の端、例えば手又は踵に巻き付けることであり、これにより、製品は、フルボディ型衣服に制限される。さらに、この制限された固定システムは、同じバンドを多くの互いに異なる関節や筋群にわたって体肢全体を横切るようにする。その結果、生じた抵抗は、でたらめに加えられ、かかる抵抗は、通常の体の力学的挙動、例えば足取りを邪魔する場合があり、これは、潜在的に危険な場合がある。
【００１５】
本発明の具体化例は、エクササイズ及びリハビリテーション機器及び衣服１０の技術改良を提供する。衣服１０は、体のほぼ任意の部分に抵抗セグメントを保持することができる固定システム１３０を有する。これにより、１つの関節又は１つの筋群しか跨がない抵抗セグメント、例えばバンド１１０又はパネル１１５がより生体模倣的な位置決めを達成することができる。また、これにより、互い対向した組をなすバンド１１０を用途に応じてアレンジすることができる休息位置周りに配置することができる。
【００１６】
図１に示されているように、本発明の具体化例は、基礎材料１００に組み込まれた抵抗セグメント、例えば抵抗バンド１１０を組み込んだ新規な抵抗発生衣服１０に関し、抵抗バンド１１０は、体肢の動きに抵抗して筋の活動を促すよう解剖学的に位置決めされる。抵抗バンド１１０と衣服１０は、全体的に見て、固定システム１３０によってバンド１１０の力に抗して定位置に保持される。その結果、標的となった筋は、運動単位を増やして同じ動作を達成するために多くのエネルギーを費やす。一具体化例では、バンド１１０の位置決めは、下に位置する解剖学的構造との協調が行われ、バンド１１０は、身体に対して固定される。
【００１７】
基礎材料１００は、適当な用途について選択されるのが良い。例えば、基礎材料１００は、天然材料又は合成材料であるのが良い。基礎材料は、これら材料のブレンドであっても良い。一具体化例では、基礎材料１００は、水分吸い取り材料であるのが良い。基礎材料１００は、例えば圧縮嵌めを可能にする伸縮性の材料であっても良い。
【００１８】
バンドは、特定の筋群に反作用するよう配置されている。例えば、多くの体肢の動きは、運動を可能にするために１組の対立又は拮抗筋の動きを含む。バンド１１０は、各体肢の屈曲と伸展の両方に対する対抗をもたらすバンド組に対応するのが良い。例えば、図１Ａ及び図１Ｂに示されているように、バンド１１０は、屈曲バンド１６２，１６３（明るい陰影が施されたバンド）及び伸展バンド１５１，１５２，１５３（暗い陰影が施されたバンド）から成る。一実施形態では、これは、体肢が休息位置（例えば、立ち位置において下肢が体に平行である状態）にあるとき、屈曲バンドにも伸展バンドにも張力がかからないよう抵抗特性の選択により達成される。変形実施形態は、中立点、即ち、屈曲バンドも伸展バンドも例えば腕を回した状態で張力及びエクスパート抵抗下にはない体の部分の位置を有しても良く、即ち、休息位置ではない位置にあっても良い。
【００１９】
体肢の屈曲により、屈曲バンドが伸び、体肢の動きに抗すると共に中立状態に向かう力を及ぼす張力を生じさせ、かくして体肢の屈曲に抵抗をもたらす。例えば、図２Ａ及び図２Ｂの衣服１０では、背中から大殿筋及び膝窩腱上に延びるバンド１６３は、大腿の屈曲に抵抗する。他方、対応の伸展バンドは、屈曲動作の際に張力を全く生じさせないでくしゃくしゃになる。例えば、引き続き図２Ａ及び図２Ｂを参照すると、体の前側沿いに下って腸腰筋及び四頭筋上に延びるバンド１５３は、力を及ぼさず、かかる動きの間、張力下にはない。したがって、屈曲は、２つの相対する組をなすバンドの存在にもかかわらず体肢を引き戻す正味の力を生じさせる。多くの関節又は筋群の場合、複数のバンドを用いて可能な限り全ての動きに対して抵抗をもたらすことができる。例えば、図３Ａ及び図３Ｂは又、外転及び内転抵抗をもたらすバンド１１０を示している。同じ原理は、肩、腕、指、腹、臀部、下肢、及び膝を含むほぼ任意の身体部の屈曲、伸展、内転、及び外転について当てはまる。さらに、バンド１１０は、例えば手関節、肩関節、足関節、又は股関節の回旋のための回旋運動のために捩じり抵抗をもたらすことができる。
【００２０】
一具体化例では、これらバンド１１０は、抵抗性材料で作られていて布の状態に直接織成された細い個々の抵抗性繊維から成る。これら抵抗性繊維は、基礎材料１００とは異なる材料のものであるのが良い。これら抵抗性繊維は、衣服に個々に取り付けられ、平べったいバンドの状態に結合され、又は束の状態に結合されてバンドを形成することができる。バンド１１０は、一具体化例では、アンカー１３０のところで衣服１０に取り付けられる。
【００２１】
別の具体化例では、バンド１１０は、例えば縫成、接着、音波溶接等によって基礎材料１００に一体化された衣服の区分から成っていても良い。
【００２２】
図５Ｃ及び図６に最も良く示されている別の具体化例では、抵抗セグメントは、パネル１１５から成る。パネル１１５は、中実材料であっても良く、織物状材料であっても良く、或いは通気性を考慮してメッシュ状に配列された細孔を備えた材料であっても良い。これらパネル１１５は、基礎材料１００中に直接縫い込まれても良く、基礎材料１００の層相互間にサンドイッチされても良く、或いは基礎材料１００の幾つかの部分に取り付けられても良く、その結果、パネル１１５は、衣類の一体部、例えばパンツの前パネルを形成するようになる。一実施形態では、パネル１１５は、多数の軸線方向に抵抗をもたらす。
【００２３】
図５Ａは、バンド１１０を用いた実施形態を示している。図５Ｂは、バンド１１０をパネル１１５と組み合わせて用いた混合使用実施形態を示している。パネル１１５は、バンド１１０よりも大きい抵抗をもたらすことができ又は大きな弧を描いた運動のための抵抗をもたらすことができる。
【００２４】
抵抗セグメントが衣類１０を相当程度に動かすのを阻止し、そして抵抗セグメントを関連の体の部分に対して固定するために保持機構体１３０が設けられている。保持機構体は、抵抗セグメントの連続体、例えばバンド１１０であって良く、抵抗セグメントは、体肢に巻き付く。例えば図１Ａに見えるかかる具体化例では、バンド１１０は、連続しており、これらバンドは、相対するセグメントと保持機構体１３０の両方を形成する。一具体化例は、図４Ａ及び図４Ｂ並びに図７Ａ〜図７Ｃに最も良く示された一連の二軸性保持機構体１３０が抵抗セグメント、例えば図示のバンド１１０を体肢に対して定位置に固定状態に保つ。バンド１１０の端部は、固定システム１３０に取り付けられ、固定システム１３０は、一連の非伸縮性の螺旋巻き二軸性ウィーブ１３５に固定され又はこれらと一体であり、二軸性ウィーブ１３５は、体に巻き付けられる。中国風指捕り器（かみつきへび）と同様、ウィーブは、バンドによって長手方向に引かれると、下肢の周りに締まる。これにより、牽引力が生じ、バンドが引っ張り期間中、体肢沿いにずり上がることがなくなり、他方、着用者が休息状態にある間、圧迫に起因して生じる不快感を最小限に抑える。一具体化例では、ウィーブは、布の状態に直接織成された個々の非伸縮性繊維で作られる。別の具体化例では、非伸縮性材料で作られたバンド１１０は、体に巻き付けられ、次に定位置で縫い付けられる。さらに別の具体化例では、衣類のスリーブ全体又は一部分は、二軸性パターンを用いて織成された非伸縮性の布から作られる。図４Ａ及び図４Ｂの一実施形態では、バンド１１０は、衣類１０の一部として体の一部に巻き付くことによって固定システムを形成する連続バンド１１０であるのが良い。
【００２５】
例示目的として主として大腿用衣服に関して具体化例を説明したが、理解されるべきこととして、本発明の原理は、他の体の部分又は体全体用の衣服に利用できる。例えば、図８Ａ及び図８Ｂは、固定システム１３０が腰及び手首カフのところに位置すると共に螺旋ウィーブ１３５の構造が手首及び腰のところに位置した上半身用のスリーブの長い衣類のためのバンド１１０を用いた抵抗セグメントの具体化例を示している。
【００２６】
一具体化例では、二軸性ウィーブシステムは、バンドを非常時に即座に弛めるよう作動可能なフェールセーフ機構体、例えばクリップ（図７Ａ〜図７Ｃに示されている）を更に含む。
【００２７】
抵抗セグメントのために用いられるべき抵抗材料は、対立筋群相互間のバランスを変化させて体肢の休息位置がどこであるか、そして体肢が張力を受けないのがどの位置であるかを求めるよう調節可能である。これは、体をより理想的な姿勢に誘導するよう使用できる。比較的安価な加硫シリコーンからより複雑精巧な電気活性ポリマーまでの範囲にわたる種々の材料を用いて互いに異なる用途に合わせることができる。
【００２８】
一具体化例では、抵抗セグメントは、単純な直線弾性ゴムで作られ、この直線弾性ゴムは、活発な活動にとって有効であり且つ高強度の訓練に適した比較的安価な構成体を達成するために用いられる。
【００２９】
一具体化例では、抵抗セグメントは、基礎材料よりも抵抗が高く、即ち、実質的に基礎材料よりも高い弾性率を有する。例えば、一具体化例では、バンド１１０は、衣服１０の基礎材料の２０〜３０倍であり、パネル１１５は、衣類１０の基礎材料の約８倍の抵抗性を有する。
【００３０】
別の具体化例では、抵抗セグメントは、僅かな歪での比較的高い弾性率を有する非線形応力‐歪曲線を示す特定のエラストマーで作られ、かかる弾性率は、歪の増大につれて減少する。かかる材料は、最小限の体肢の動き、例えばウォーキングを必要とする動作中、相当大きな抵抗を考慮に入れており、他方、活発な行動、例えばランニングを過剰に制限しない。
【００３１】
別の具体化例では、非線形粘弾性ポリマーが等速性抵抗を発生するために用いられ、この場合、抵抗は、動きの速度に従って変化する。これは、日常的で低強度の活動並びにリハビリテーション目的に関して追加の利点をもたらす。
【００３２】
第３の具体化例では、抵抗セグメントは、筋の動きを測定すると共に手動又はあらかじめ設定された制御に応答して抵抗を調節するよう埋め込み状態の電子コントローラと通信する電気活性ポリマーで作られる。かかる一具体化例では、バンドに働く張力を取り付け状態の圧力センサで測定することができる。次に、互いに異なる組をなすバンドの張力の変化を用いると、体肢の運動の角度及び方向を求めることができ、正確な三次元追跡データを得ることができる。ＥＡＰを用いても抵抗を調節することができる。電圧の印加により、ポリマーバンドが膨張し、それにより張力を減少させる。この特性を用いると、衣服の全体的抵抗を加減し、互いに異なる体肢の休息位置を変化させ、又はそれどころか体肢それ自体を積極的に動かすことができる。
【００３３】
二軸性ウィーブ１３５への抵抗セグメントの取り付けの仕方も又、用途に応じて様々であって良い。例えば図１Ａに示された一具体化例では、抵抗セグメントは、例えば通常のエクササイズウェアと同様に見えるシームレス衣類との関連で永続的に融着させるのが良い。例えば図７Ａ〜図７Ｃの別の具体化例では、抵抗セグメントを取り外したり再び取り付けたりすることができ、それによりユーザは、張力の大きさ及び相対するバンド相互の比をカスタマイズするために抵抗セグメントを容易に切り換えることができる。この場合、抵抗セグメントは、布の状態に縫成されず、縫成とは異なり、例えばポケット又はチャネル内に層状化されたバンド１１０のためであり、したがって、抵抗セグメントを容易に挿入したり例えば別のパネル１１５の頂部上の１枚のパネル１１５として層状化されたパネル１１５のために取り外したりすることができる。例えば、一具体化例では、抵抗セグメントは、小さなクリップに融着され、小さなクリップにより、抵抗セグメントを取り外し又は再び取り付けることができると共に締めたり弛めたりすることができる。
【００３４】
別の具体化例では、抵抗セグメントは、下に位置する筋構造を真似る仕方で衣服上に位置決めされる。例えば、バンド１１０は、下に位置する腱と一線をなして位置決めされるのが良い。
【００３５】
別の具体化例では、衣服１０は、リハビリテーションに用いられるようになっている。
【００３６】
別の具体化例では、衣服１０は、老人又は身体障害者に用いられるようになっている。かかる具体化例では、衣服１０は、着用者がバランス及び／又は姿勢を維持するのを助けるよう動き、例えば突然の動きに対して緩衝作用をもたらす。
【００３７】
人々が好都合且つ押し付けがましくないやり方で体を鍛えるのを助ける目的で本明細書において説明した技術をフィットネスタイツに用いることができ、それによりありふれた活動、例えばウォーキング、ジョギング及びサイクリングの代謝当量を増大させることができる。抵抗システムは、普段着下で着用できる薄く且つ控え目のアパレル設計に組み込まれ、それにより人々は、人目につかないで仕事又は授業中にこれら衣類を着用することができる。布は又、快適であり且つファッショナブルであり、ワークアウトを補完すると共に時間を掛けないで良好な結果を達成するために人々が通常のエクササイズタイツのように普段着を着用するよう促す。
【００３８】
リハビリテーションの状況では、この技術は、筋の調子を維持してサルコペニア又は加齢性筋萎縮の作用効果に対抗するよう極めて低強度の抵抗を用いた医療器具を含むのが良く、それにより良好なバランス及び全体的に良好なクオリティーオブライフが得られる。この技術を人々が筋骨格外傷から回復するための物理療法の安全な手段を提供するよう高い抵抗を備えた状態で使用されるのが良い。
【００３９】
一実施形態では、抵抗セグメントは、体の表面に沿う力の分布状態を変更するよう様々な幅のものである（図５Ａ〜図５Ｃ及び図６参照）。幅の狭いバンド１１０は、正確な配置及び高い抵抗を考慮に入れ、他方、幅の広いパネル１１５は、不快感を減少させると共に衣服が非常にきつい状態になって体の軟らかい領域中に食い込み、例えば内もも中に食い込むようになるのを阻止する（例えば図４Ｂ参照）。
【００４０】
一実施形態では、抵抗セグメントは、高いフィット及び通気性の実現を可能にするようメッシュ構造の状態で構成された１つ又は２つ以上の弾性材料から成る弾性パワーメッシュの１つ又は２つ以上の層を含むパネル１１５から成る（図５Ｃ参照）。パワーメッシュの２つの層を備えたパネル１１５は、単一の層から成るパネルよりも良好な抵抗及び安定性を提供する。また、単一層状のパネル１１５は、延ばされると半透明になる場合があるが、二重層パネルは、不透明であり、パネル１１５が衣服１０の一体部を形成し、基礎材料１００によって裏打ちされていない場合に関連の検討事項となる。加うるに、パネル１１５のこの実施形態の２つのメッシュ層相互間の僅かな運動により、或る特定の光条件では、ユニークな光学的波打ち効果を生じさせる。
【００４１】
互いに異なる方向に延びる多層パネル１１５は、二軸性引き締まり挙動を達成するために互いに前を横切ることができる自由浮動層の状態に配置される（図５Ａ〜図５Ｃ参照）。したがって、パネル１１５は、互いに別個独立に体の前に回転することができ、そして１つ又は２つ以上の場所、例えば腰又は股下縫い目のところで互いに縫い合わされる２枚又は３枚以上の衣服層を形成する。自由浮動層の数を増大させると、二軸性圧迫の締まり度が増大する。締結機構体、例えばジッパ又はドローストリングを或る特定のパネルに取り付けて締まり度と抵抗の両方を調節することができる。
【００４２】
一実施形態では、衣服は、バンドが収納されるチャネルを備えた状態で構成される。チャネルを設けることにより、バンドは、基布とは別個独立に動くことができ、それにより皺及びすり切れが減少する。
【００４３】
別の実施形態では、衣服は、取り外したり交換したりすることができるアレンジ可能なバンドが収納されるチャネルを備えた状態で構成される。バンドは、チャネルの両端のところに位置決めされた締結機構体、例えばベルクロ（登録商標）（Velcro）のパッチ又はリングフックに取り付けるのが良い。
【００４４】
例示の具体化例の上述の説明は、例示及び説明の目的のために提供されている。上述の説明は、開示した形態そのものに対して排他的であり又は限定するよう意図しておらず、改造及び変形が上述の教示に照らして可能であり又は開示した具体化例の実施から得られる。本発明の範囲は、本明細書に添付された特許請求の範囲の記載及びその均等範囲によって定められるものである。
【図１】
2017519910.tif 000003
【図２】
2017519910.tif 000004
【図３】
2017519910.tif 000005
【図４】
2017519910.tif 000006
【図５】
2017519910.tif 000007
【図６】
2017519910.tif 000008
【図７】
2017519910.tif 000009
【図８】
2017519910.tif 000010
【国際調査報告】
2017519910.tif 000011